(57)【要約】【課題】常に身に着けても着心地が悪くなくまた不便がなく、静脈血管の屈曲を効果的に矯正し血行を改善することができる手甲を提供すること。【解決手段】手首部に装着又は手首部から肘部側に向けて伸びる腕部分を覆うように装着される本体バンド部２と、本体バンド部２にループ状に取り付けられ指間の付け根部と手首部との間に跨って掛止可能とされた指掛け紐部３とを有している。【選択図】図１
2008245802.tif 000002
【特許請求の範囲】
【請求項１】
手首部に装着又は手首部から肘部側に向けて伸びる腕部分を覆うように装着される本体バンド部と、本体バンド部にループ状に取り付けられ指間の付け根部と手首部との間に跨って掛止可能とされた指掛け紐部とを有していることを特徴とする手甲。
【請求項２】
前記本体バンド部は、手首部側のリストバンド部のみ或いは手首部側のリストバンド部と、肘部側のアームバンド部と、前記リストバンド部とアームバンド部との間のアームカバー部とを備えており、前記リストバンド部或いは前記リストバンド部及びアームバンド部は、ゴム糸等の弾性糸が編み込まれていることを特徴とする請求項１に記載の手甲。
【請求項３】
前記指掛け紐部は、前記本体バンド部の手首部掌側の幅方向略中央部と手首部甲側の幅方向一端付近とに両端を取り付けられたループ状の第一紐と、前記本体バンド部の手首部掌側の幅方向略中央部と甲側の幅方向他端付近とに両端を取り付けられたループ状の第二紐とを備えており、前記第一紐と第二紐は、一方が第１指と第２指との間の付け根部と手首部との間で掌側と甲側に跨って掛止可能とされ、他方が第４指と第５指との間の付け根部と手首部との間で掌側と甲側に跨って掛止可能とされていることを特徴とする請求項１又は２に記載の手甲。
【請求項４】
前記第一紐と第二紐は、掛止された指の付け根部と手首部との間に１５ｍＮ〜３０ｍＮの引張り強度で装着できるように前記本体バンド部に取り付けられていることを特徴とする請求項３に記載の手甲。
【発明の詳細な説明】
【技術分野】
【０００１】
本発明は、上肢の血行促進等を目的とした手甲に関するものである。
【背景技術】
【０００２】
近時、健康に関する感心が高まり、例えば、上肢の血流を改善するために、ツーウェイストレッチ加工された生地を手の甲側に用いて手全体にストレッチ効果があるようにした構造の手袋が提案されている（特許文献１参照）。
【特許文献１】実用新案登録第３０６８５１５号公報
【発明の開示】
【発明が解決しようとする課題】
【０００３】
上記特許文献１の手袋は、基本的に掌及び指を全て覆う形状とされており、常時に身に着けるには日常作業性が悪く、また快適ではない。
人体生理学においては、通常、動脈により手掌、指先の毛細血管まで送られた血液は、その後静脈血として静脈網に集められ橈側皮静脈と尺側皮静脈とになり、尺側皮静脈は上行して上腕静脈に合流し、橈側皮静脈とともに腋窩静脈に入り、鎖骨下静脈へ続き最終心臓に入るとされている。
しかし、加齢に伴って手の筋肉の筋力が落ち、内側に捩れ込むように筋肉が萎縮するため、筋肉内の静脈血管が屈曲してしまい血流が阻害され、手指の冷え、手荒れ、アカギレ等の血行障害に伴う疾患が発生し易くなる傾向があると言われている。
【０００４】
そこで、本発明は、常に身に着けても着心地が悪くなくまた不便がなく、静脈血管の屈曲を効果的に矯正し血行を改善することができる手甲を提供することを目的としている。
【課題を解決するための手段】
【０００５】
前記目的を達成するために本発明は、手首部に装着又は手首部から肘部側に向けて伸びる腕部分を覆うように装着される本体バンド部と、本体バンド部にループ状に取り付けられ指間の付け根部と手首部との間に跨って掛止可能とされた指掛け紐部とを有していることを特徴としている。
上記構成によれば、本発明の手甲の着用時、本体バンド部を手首部に装着すると共に、指掛け紐部のループ状の先端部を指に掛けることによって、本体バンド部（指掛け紐部の取付基点）が着用者の手首部に固定され、指掛け紐部の先端が着用者の指間の付け根部に掛止されるため、着用者の指間の付け根部と手首部との間に跨って指掛け紐部を緊張状態で掛止することができ、この指掛け紐部によって、着用者の指間の付け根部を刺激して血行を促進することができる。また、上記指掛け紐部によって指の腱が引っ張られることにより、筋肉のたるみ等によって内側に捩れ込むように萎縮した掌を外側に広げられ、手背静脈網などの静脈血管の屈曲が矯正され、静脈の血液還流が促進される。これにより、動脈血管の血液の流入が増し、指先の毛細血管まで血液の交換が促進される。そして、指先の血行が改善することにより、血行不良が大きな原因である冷え性やあかぎれ等の疾患の発生の予防及び改善治療が図れる。さらに、末端の血行が改善されることによって、上肢だけでなく、上半身全体についても血行が改善される。また、本発明の手甲は、着用時、着用者の手首部より先の手の甲及び掌を被覆することなく露出させたままとすることができ、単に指掛け紐部が通るだけであるから、常時着用していても作業性を阻害せず、着用したままで作業をすることができて便利であり、着心地が悪くなることもない。
【０００６】
前記本体バンド部は、手首部側のリストバンド部のみ或いは手首部側のリストバンド部と、肘部側のアームバンド部と、前記リストバンド部とアームバンド部との間のアームカバー部とを備えており、前記リストバンド部或いは前記リストバンド部及びアームバンド部は、ゴム糸等の弾性糸が編み込まれていることを特徴としている。
上記構成によれば、本体バンド部は、基本的には手首部側のリストバンド部だけでもよく、また、手首部側のリストバンド部と、肘部側のアームバンド部と、これらリストバンド部とアームバンド部との間のアームカバー部とを備えたものでもよいもので、後者の場合では、着用者の手首部から肘部側までの腕部に着圧を分散させて装着することができ、保温効果も得られるため、血行を阻害することを防止して着心地を向上させることができる。
【０００７】
前記指掛け紐部は、前記本体バンド部の手首部掌側の幅方向略中央部と手首部甲側の幅方向一端付近とに両端を取り付けられたループ状の第一紐と、前記本体バンド部の手首部掌側の幅方向略中央部と甲側の幅方向他端付近とに両端を取り付けられたループ状の第二紐とを備えており、前記第一紐と第二紐は、一方が第１指と第２指との間の付け根部と手首部との間で掌側と甲側に跨って掛止可能とされ、他方が第４指と第５指との間の付け根部と手首部との間で掌側と甲側に跨って掛止可能とされていることを特徴としている。
上記構成によれば、第一紐と第二紐の２本の紐だけで第１指と第２指との間の付け根部及び第４指と第５指との間の付け根部を刺激して血行を促進し、しかも、第１指（親指）と第５指（小指）を外側へ開かせるような引張力を作用させることができ、これに伴って第２指〜第４指までも開かせて手の掌全体を開かせるような引張力を波及作用させることができる。これによって、筋肉のたるみ等によって内側に捩れ込むように萎縮した掌が外側に広げられ、手背静脈網などの静脈血管の屈曲が矯正され、静脈の血液還流が促進される。その結果、動脈血管の血液の流入が増し、指先の毛細血管まで血液の交換が促進され、指先の血行が改善されて冷え性やあかぎれ等の疾患の発生の予防及び改善治療が図れる。また、第一紐と第二紐は、着用時、手の甲側では幅方向両側に広く離れた位置を通るだけであって手の甲を被覆することなく大部分を露出させたままを保持させることができ、また、手の掌側では第１指（親指）と第２指（人差し指）との間の付け根部から手首部の幅方向中央部へ第一紐が通り、第４指（薬指）と第５指（小指）との間の付け根部から手首部の幅方向中央部へ第二紐が通るだけであるから、着用者の手の掌を被覆することなく大部分を露出させたままとすることができ、常時着用していても作業性を阻害せず、着用したままで作業をすることができて便利であり、着心地が悪くなることもない。
【０００８】
前記第一紐と第二紐は、掛止された指の付け根部と手首部との間に１５〜３０ｍＮの引張り強度で装着できるように前記本体バンド部に取り付けられていることを特徴としている。
上記構成によれば、着用時、第一紐と第二紐とを血流を阻害しない程度の引張力で装着することができ、１５ｍＮ以下では引張力が不足して静脈血管の屈曲を矯正する効果が乏しく、３０ｍＮ以上では血流を阻害する恐れがある。
【発明の効果】
【０００９】
本発明によれば、常に身に着けても着心地が悪くなくまた不便がなく、静脈血管の屈曲を効果的に矯正し血行を改善することができる手甲を提供することができる。
【発明を実施するための最良の形態】
【００１０】
以下、本発明にかかる手甲の実施の形態を図面に基づいて説明する。
本発明の手甲１は、図１〜図３に示すように、着用者の手首部ａに装着又は手首部ａから肘部側に向けて伸びる腕部分ｂを覆うように装着される筒状の本体バンド部２と、本体バンド部２にループ状に取り付けられ指間の付け根部と手首部ａとの間に跨って掛止可能とされた指掛け紐部３とを有している。
前記本体バンド部２は、手首部ａ側のリストバンド部２ａのみ或いは手首部ａ側のリストバンド部２ａと、肘部側のアームバンド部２ｂと、前記リストバンド部２ａとアームバンド部２ｂとの間のアームカバー部２ｃとを備えており、前記リストバンド部２ａ或いは前記リストバンド部２ａ及びアームバンド部２ｂは、ゴム糸等の弾性糸が編み込まれている。
【００１１】
前記リストバンド部２ａは、環状で血流を阻害しない程度の締付力が付与されている。また、前記アームバンド部２ｂ及びアームカバー部２ｃも、環状乃至筒状で血流を阻害しない程度でリストバンド部２ａよりも弱い締付力が付与されている。
前記指掛け紐部３は、前記本体バンド部２の手首部掌側２ｄの幅方向略中央部２ｅと手首部甲側２ｆの幅方向一端付近２ｇとに両端を縫着、接着等で取り付けられたループ状の第一紐３ａと、前記本体バンド部２の手首部掌側２ｄの幅方向略中央部２ｅと手首部甲側２ｆの幅方向他端付近２ｈとに両端を縫着、接着等で取り付けられたループ状の第二紐３ｂとを備えており、前記第一紐３ａと第二紐３ｂは、一方３ａが第１指（親指）ｃと第２指（人差し指）ｄとの間の付け根部ｅと手首部ａとの間で掌側ｆと甲側ｇに跨って掛止可能とされ、他方３ｂが第４指（薬指）ｈと第５指（小指）ｉとの間の付け根部ｊと手首部ａとの間で掌側ｆと甲側ｇに跨って掛止可能とされている。
【００１２】
前記第一紐３ａと第二紐３ｂは、掛止された指の付け根部ｅ、ｆと手首部ａとの間に１５ｍＮ〜３０ｍＮの引張り強度で装着できるように前記本体バンド部２に取り付けられている。
前記指掛け紐部２は、織りゴム紐や中空マカロニ形テープなどを使用するもので、紐の形状としては、丸紐、角紐、扁平紐、中空紐のいずれでもよく、紐の幅又は太さは、１ｍｍ〜１０ｍｍの範囲、好ましくは、３ｍｍ〜５ｍｍの範囲とするのがよいが、これに制約されず、紐の幅又は太さを大きくするほど刺激や矯正効果が増し、逆に小さくするほど刺激や矯正効果が小さくなるもので、着心地が悪くならない範囲で適宜に設定すればよい。
【００１３】
そして、指掛け紐部２の引張り強度は１５〜３０ｍＮとするのであるが、これは、１５ｍＮ以下では引張力が不足して静脈血管の屈曲を矯正する効果が乏しく、３０ｍＮ以上では血流を阻害する恐れがあるためである。
また、第一紐３ａの本体バンド部２に対する取付配置は、図２、図３に示すように、手の甲側ｇにおいては力を抜いて手を机の上に置いた状態で第１指（親指）ｃに平行になるようにし、第１指（親指）ｃと第２指（人差し指）ｄの付け根ｅを通って手の掌側ｆに折り返し、母指球筋（少なくとも短母指外転筋）ｋを押さえないようその内側に配置するもので、そのために、図１に示すように、第一紐３ａは、一端を本体バンド部２の手首部掌側２ｄの幅方向略中央部２ｅに、他端を手首部甲側２ｆの幅方向一端付近２ｇに、それぞれ、縫着又は接着等でループ状に取り付けている。
【００１４】
第二紐３ｂの本体バンド部２に対する取付配置は、図２、図３に示すように、手の甲側ｇにおいては力を抜いて手を机の上に置いた状態で第５指（小指）ｉに平行になるようにし、第４指（薬指）ｈと第５指（小指）ｉの付け根ｊを通って手の掌側ｆに折り返し、小指球筋ｍを押さえないようその内側に配置するもので、そのために、図１に示すように、第二紐３ｂは、一端を本体バンド部２の手首部掌側２ｄの幅方向略中央部２ｅに、他端を手首部甲側２ｆの幅方向他端付近２ｈに、それぞれ、縫着又は接着等でループ状に取り付けている。
【００１５】
前記リストバンド部２ａは、指掛け紐部３を手首部ａに固定するために環状乃至筒状に形成されるもので、そのために、ある程度の締付け強度が必要であるが、その締付け強度は、血流を阻害しない程度の強さとされるものである。また、リストバンド部２ａの長さ方向寸法は、開口部から手首の橈骨の出っ張りにかかる程度の長さとしてある。
前記アームカバー部２ｃは、指掛け紐部３が縫着又は接着等で取り付けられて引張り力がかかるリストバンド部２ａを補助的に支持させるために環状乃至筒状に形成されるもので、締付け強度については血流を阻害しない程度の強さとされるものである。また、アームカバー部２ｃの長さはそれほど必要ではなく、例えば、５ｃｍ程度とされている。なお、アームカバー部２ｃを長くして腕部の大部分を覆うようにすることもでき、この場合では、特に腕部分ｂの円回内筋を圧迫しないようにするのが好ましい。
【００１６】
前記アームバンド部２ｂは、アームカバー部２ｃのずれ落ちを防止するために環状乃至筒状に形成されるもので、そのために、締付け強度はアームカバー部２ｃがずれ落ちるのを防止できる程度の締付け強度であればよく、できるだけ弱く設定するのが好ましい。
【実施例１】
【００１７】
・指掛け紐部３
中空マカロニ形テープ（ナイロン８５％、ポリウレタン弾性繊維１５％）を使用
第一紐（親指掛止側）３ａ：長さ（全長）  １７ｃｍ（縫い込み代：１．５ｃｍ）
第二紐（小指掛止側）３ｂ：長さ（全長）  １４ｃｍ（縫い込み代：１．５ｃｍ）
幅寸法（太さ）  ３ｍｍ
・アームカバー部２ｃ
下記の２種糸をプレーティング編み
表糸：番手６０／２の綿１００％
裏糸：番手２０／７５のポリウレタン弾性糸（ポリエステル９２％、ポリウレタン８％        ）
上記ポリウレタン弾性糸は、カバー糸：ポリエステル（２０デニール）、芯糸：ポ      リウレタン弾性繊維（７５デニール）のシングルカバリング糸である。
・リストバンド部２ａ及びアームバンド部２ｂ
上記アームカバー部２ｃの糸に加え６５００番手のゴム糸（ポリエステル８７．５％、ポリウレタン１２．５％）を編み込み、リストバンド部２ａはダブルウエルト（靴下履口で一般的）、アームバンド部２ｂはシングルウエルトで形成した。
・長さ方向寸法
リストバンド部２ａ：約２５ｍｍ
アームカバー部２ｃ：約４５ｍｍ
アームバンド部２ｂ：約２０ｍｍ
・締付け強度→幅方向伸びとして測定
仕上り寸法・・・商品を机上に置いたときの、部位中央部幅方向の長さ寸法。
【００１８】
伸び後寸法・・・手で幅方向に引張り、これ以上伸びない状態での部位中央部幅方向の                  長さ寸法。
リストバンド部２ａ：仕上り寸法８ｃｍ、伸び後寸法１９ｃｍ。
アームカバー部２ｃ：仕上り寸法９ｃｍ、伸び後寸法１７ｃｍ。
アームバンド部２ｂ：仕上り寸法８ｃｍ、伸び後寸法１９ｃｍ。
本発明にかかる手甲の実施の形態は、以上の構成からなるもので、図１は左手装着用のものを示しており、右手用は図示を省略したが、左右対称形状のものとされる。次にその使用方法を説明する。
【００１９】
先ず、図１の手甲１の本体バンド部２を左手の手首部ａに装着し、第一紐３ａのループを第１指（親指）ｃに通し、第二紐３ｂのループを第５指（小指）ｉに通す（図２、図３参照）。右手についても同様である。
上記のように装着すれば、次のような作用効果が得られる。即ち、上記実施形態の構成によれば、第一紐３ａと第二紐３ｂの２本の紐だけで第１指ｃと第２指ｄとの間の付け根部ｅ及び第４指ｈと第５指ｉとの間の付け根部ｊを刺激して血行を促進する。しかも、第１指（親指）ｃと第５指（小指）ｉを外側へ開かせるような引張力が作用し、これに伴って第２指ｄ〜第４指ｈまでも開かせて手の掌全体を開かせるような引張力が波及する。これによって、筋肉のたるみ等によって内側に捩れ込むように萎縮した掌が外側に広げられ、手背静脈網などの静脈血管の屈曲が矯正され、静脈の血液還流が促進される。その結果、動脈血管の血液の流入が増し、指先の毛細血管まで血液の交換が促進され、指先の血行が改善されて冷え性やあかぎれ等の疾患の発生の予防及び改善治療が図れる。また、第一紐３ａと第二紐３ｂは、着用時、手の甲側ｇでは幅方向両側に広く離れた位置を通るだけ（図２参照）であって手の甲を被覆することなく大部分を露出させたままを保持させることができ、また、手の掌側ｆでは第１指（親指）ｃと第２指（人差し指）ｄとの間の付け根部ｅから手首部ａの幅方向中央部２ｅへ第一紐３ａが通り（図３参照）、第４指（薬指）ｈと第５指（小指）ｉとの間の付け根部ｊから手首部ａの幅方向中央部２ｅへ第二紐３ｂが通るだけ（図３参照）であるから、着用者の手の掌を被覆することなく大部分を露出させたままとすることができ、常時着用していても作業性を阻害せず、着用したままで作業をすることができて便利であり、着心地が悪くなることもない。
【００２０】
前記第一紐３ａと第二紐３ｂは、掛止された指ｃ、ｉの付け根部ｅ、ｊと手首部ａとの間に１５〜３０ｍＮの引張り強度で装着できるように前記本体バンド部２に取り付けられているため、着用時、第一紐３ａと第二紐３ｂとを血流を阻害しない程度の引張力で装着することができる。また、前記リストバンド部２ａは、血流を阻害しない程度の締付力が付与されているため、着用者の手首部ａの血流を阻害することなく指掛け紐部３の取付基点を手首部ａに固定保持させておくことができる。そして、前記アームバンド部２ｂ及びアームカバー部２ｃは、血流を阻害しない程度でリストバンド部２ａよりも弱い締付力が付与されていることによって、着用者の腕部ｂの血流を阻害することなくリストバンド部２ａを補助的に支持させることができると共に、アームカバー部２ｃのずれ落ちを防止させることができ、しかも、アームカバー部２ｃを長くした場合でも、腕部の円回内筋を強く圧迫することも防止でき、着心地を悪くすることもない。
【００２１】
本発明の実施の形態に係る手甲は、以上の構成及び作用効果を奏するものであるが、本発明は、上記実施の形態のみに制約されることなく特許請求の範囲に記載した範囲内で適宜変形して実施してもよいものである。例えば、第１指から第５指まで全部の指或いはそのうちの１本又は複数本の指に独立して掛止できる指掛け紐部を設けてもよく、或いは、第３指にだけとか、第２指から第４指に跨って掛止させたりしてもよく、その場合、手の甲側を通して引張力を掛けるようにしてもよい。
【図面の簡単な説明】
【００２２】
【図１】本発明に係る手甲の左手装着用の斜視図である。
【図２】本発明に係る手甲を左手に装着した状態の甲側から見た平面図である。
【図３】本発明に係る手甲を左手に装着した状態の掌側から見た平面図である。
【符号の説明】
【００２３】
１    手甲
２    本体バンド部
３    指掛け紐部
２ａ    リストバンド部
２ｂ    アームバンド部
２ｃ    アームカバー部
３ａ    第一紐
３ｂ    第二紐
【図１】
2008245802.tif 000003
【図２】
2008245802.tif 000004
【図３】
2008245802.tif 000005